(57)【特許請求の範囲】
【請求項１】
被写体を撮像するときの撮影感度を設定する撮影感度設定手段と、
前記撮影感度設定手段により設定された撮影感度に従って被写体を撮像する撮影手段と、
前記撮影感度設定手段により設定された撮影感度が高感度である場合に、その高感度撮影画像を内部記録媒体に記録する高感度撮影画像記録手段と、
前記高感度撮影画像記録手段により記録される高感度撮影画像から低感度撮影画像を作成する低感度撮影画像作成手段と、
前記低感度撮影画像作成手段により作成された低感度撮影画像を外部記録媒体に記録する低感度撮影画像記録手段とを備えたことを特徴とする画像記録装置。
【請求項２】
前記低感度撮影画像作成手段は、前記高感度撮影画像記録手段により記録された高感度撮影画像に対して、被写体を視認できない又は視認しにくいように画像処理を施すことを特徴とする請求項１に記載の画像記録装置。
【請求項３】
前記内部記録媒体に記録された高感度撮影画像を外部記録媒体にコピー及び移動することを禁止する移動禁止手段を備えたことを特徴とする請求項１又は２に記載の画像記録装置。
【請求項４】
前記内部記録媒体に記録された高感度撮影画像を外部表示装置に出力することを禁止する出力禁止手段を備えたことを特徴とする請求項１乃至３のいずれか１項に記載の画像記録装置。
【請求項５】
ユーザ認証処理を行う認証手段と、
前記認証手段により認証されたユーザに対して、前記内部記録媒体に記録された高感度撮影画像を外部記録媒体にコピー及び移動することを許可する移動許可手段と、
前記移動許可手段によりコピー及び移動が許可された場合、前記内部記録媒体に記録された高感度撮影画像を外部記録媒体にコピー又は移動する際に、その高感度撮影画像を暗号化する暗号化手段とを備えたことを特徴とする請求項１又は２に記載の画像記録装置。
【請求項６】
前記高感度撮影画像記録手段により高感度撮影画像を前記内部記録媒体に記録する際に、その高感度撮影画像を暗号化する暗号化手段を備えたことを特徴とする請求項１に記載の画像記録装置。
【請求項７】
被写体を撮像するときの撮影感度を設定する撮影感度設定手段と、
前記撮影感度設定手段により設定された撮影感度に従って被写体を撮像する撮影手段と、
前記撮影感度設定手段により設定された撮影感度が高感度である場合に、その高感度撮影画像を暗号化した上で外部記録媒体に記録する高感度撮影画像記録手段と、
前記高感度撮影画像記録手段により記録される高感度撮影画像から低感度撮影画像を作成する低感度撮影画像作成手段と、
前記低感度撮影画像作成手段により作成された低感度撮影画像を前記外部記録媒体に記録する低感度撮影画像記録手段とを備えたことを特徴とする画像記録装置。
【請求項８】
被写体を撮像するときの撮影感度を設定する撮影感度設定手段と、前記撮影感度設定手段により設定された撮影感度に従って被写体を撮像する撮影手段とを備えた撮像装置により撮影された画像を記録する画像記録方法であって、
前記撮影感度設定手段により設定された撮影感度が高感度である場合に、その高感度撮影画像を内部記録媒体に記録するステップと、
前記高感度撮影画像から低感度撮影画像を作成するステップと、
前記作成された低感度撮影画像を外部記録媒体に記録するステップとを有することを特徴とする画像記録方法。
【請求項９】
被写体を撮像するときの撮影感度を設定する撮影感度設定手段と、前記撮影感度設定手段により設定された撮影感度に従って被写体を撮像する撮影手段とを備えた撮像装置により撮影された画像を記録する画像記録方法であって、
前記撮影感度設定手段により設定された撮影感度が高感度である場合に、その高感度撮影画像を暗号化した上で外部記録媒体に記録するステップと、
前記高感度撮影画像から低感度撮影画像を作成するステップと、
前記作成された低感度撮影画像を前記外部記録媒体に記録するステップとを有することを特徴とする画像記録方法。
【請求項１０】
被写体を撮像するときの撮影感度を設定する撮影感度設定手段と、前記撮影感度設定手段により設定された撮影感度に従って被写体を撮像する撮影手段とを備えた撮像装置により撮影された画像を記録する処理をコンピュータに実行させるためのプログラムであって、
前記撮影感度設定手段により設定された撮影感度が高感度である場合に、その高感度撮影画像を内部記録媒体に記録する処理と、
前記高感度撮影画像から低感度撮影画像を作成する処理と、
前記作成された低感度撮影画像を外部記録媒体に記録する処理とをコンピュータに実行させるためのプログラム。
【請求項１１】
被写体を撮像するときの撮影感度を設定する撮影感度設定手段と、前記撮影感度設定手段により設定された撮影感度に従って被写体を撮像する撮影手段とを備えた撮像装置により撮影された画像を記録する処理をコンピュータに実行させるためのプログラムであって、
前記撮影感度設定手段により設定された撮影感度が高感度である場合に、その高感度撮影画像を暗号化した上で外部記録媒体に記録する処理と、
前記高感度撮影画像から低感度撮影画像を作成する処理と、
前記作成された低感度撮影画像を前記外部記録媒体に記録する処理とをコンピュータに実行させるためのプログラム。
【発明の詳細な説明】
【技術分野】
【０００１】
本発明は、高感度撮影された画像を取り扱うのに好適な画像記録装置、方法及びプログラムに関する。
【背景技術】
【０００２】
天体撮影や夜間の動物撮影等、低照度下でも撮影可能な高感度カメラというものがある。高感度カメラは、例えば夜間の動物の生態調査のように、被写体である動物に気づかれる虞のあるストロボのような光を発する機器を使用できない、暗がりの状況下での撮影に用いられる。高感度カメラには、放送等に用いる非常に高価なものや、監視カメラ等に用いられる比較的低画質、低解像度なものがある。
【０００３】
近年では、多くのユーザが手軽に利用しているデジタルカメラでも高感度撮影が可能になってきている。特に、高画質、高解像度で撮影可能な一眼レフカメラでも、高感度撮影が可能になってきている。
【０００４】
また、デジタルカメラで撮影した画像は、ＣＦ（コンパクトフラッシュ（登録商標））カードやＳＤカードのような記録媒体を通してコンピュータ上へ容易に画像を取り込むことができる。従って、電子メールやホームページ等インターネットを利用して、もしくはＴＶ等に出力して、手軽に友人同士、家族同士で画像を公開、閲覧して楽しむユーザが増えている。しかしながら、こうした手軽さを利用して、被写体の知らないところで、インターネットを利用して不特定多数の第三者が閲覧可能な状況下へ流出するケースも増加している。
【０００５】
一方、近年、ＣＦカードやＳＤカードのような記録媒体だけでなく、カメラ内部に大容量のメモリを備え、記録媒体がなくても画像が記録できるカメラが増えてきている。このように、カメラ内部に大容量のメモリを備えることで、記録媒体がない状態でも画像を記録することができるだけでなく、例えば他人に見せたくない画像等はカメラ内部に保存し、それ以外の画像は記録媒体に保存する、他人に見せる際は記録媒体に入っている画像を使うといった具合に、ユーザが自分のプライバシーを守ることにも利用できる。
【０００６】
このような、カメラ内部のメモリと記録媒体の少なくとも一つに画像を記録する方法として、特許文献１に開示されているものが知られている。
【先行技術文献】
【特許文献】
【０００７】
【特許文献１】特開２００６−８６８１０号公報
【発明の概要】
【発明が解決しようとする課題】
【０００８】
特許文献１に記載のカメラは、圧縮率、画素数又は記録形式を変えた画像を、記録媒体又はカメラ内部のメモリに記録するというものである。
【０００９】
特許文献１にあるように、撮影画像の記録先を変更する技術により、ユーザのプライバシー保護は可能となるが、撮影画像の流出と、撮影画像を第三者が自由に閲覧できてしまうこととを防ぐのは困難である。
【００１０】
従って、撮影画像の流出の防止や閲覧を防ぐ仕組みが必要である。特に、高感度撮影は、暗がりでも被写体に気づかれずに撮影可能であるため、被写体のプライバシー保護のためにも画像流出防止及び閲覧制限等の対策が必要である。
【００１１】
本発明は上記のような点に鑑みてなされたものであり、高感度撮影画像の流出防止や閲覧制限を可能とすることを目的とする。
【課題を解決するための手段】
【００１２】
本発明の画像記録装置は、被写体を撮像するときの撮影感度を設定する撮影感度設定手段と、前記撮影感度設定手段により設定された撮影感度に従って被写体を撮像する撮影手段と、前記撮影感度設定手段により設定された撮影感度が高感度である場合に、その高感度撮影画像を内部記録媒体に記録する高感度撮影画像記録手段と、前記高感度撮影画像記録手段により記録される高感度撮影画像から低感度撮影画像を作成する低感度撮影画像作成手段と、前記低感度撮影画像作成手段により作成された低感度撮影画像を外部記録媒体に記録する低感度撮影画像記録手段とを備えたことを特徴とする。
【発明の効果】
【００１３】
本発明によれば、高感度撮影画像の流出防止や閲覧制限が可能となる。
【図面の簡単な説明】
【００１４】
【図１】第１の実施形態に係るカメラの外観を示す斜視図である。
【図２】第１の実施形態に係るカメラの垂直断面図である。
【図３】第１の実施形態に係るカメラの回路構成を示すブロック図である。
【図４】第１の実施形態に係るカメラの撮影時の画像記録処理を示すフローチャートである。
【図５】第１の実施形態に係るカメラのクイックレビュー処理を示すフローチャートである。
【図６】第１の実施形態に係るカメラの画像再生処理を示すフローチャートである。
【図７】第１の実施形態に係るカメラのコピー・移動処理を示すフローチャートである。
【図８】第２の実施形態に係るカメラの撮影時の画像記録処理を示すフローチャートである。
【図９】第２の実施形態に係るカメラの画像再生処理を示すフローチャートである。
【発明を実施するための形態】
【００１５】
以下、添付図面を参照して、本発明の好適な実施形態について説明する。
（第１の実施形態）
図１は、本発明を適用した画像記録装置として機能する実施形態に係る撮像装置、より詳細にはレンズ交換式のデジタル一眼レフカメラの外観を示す斜視図、図２は図１の垂直断面図である。図１に示すように、カメラ本体１００の上部には、アクセサリシュー１１０、光学ファインダ１０４、ＡＥ（自動露出）ロックボタン１１２、ＡＦ（オートフォーカス）の測距点選択ボタン１１３が設けられている。また、撮影操作のためのレリーズボタン１１４、電子ダイアル４１１、モードダイアルスイッチ６０、及び外部表示装置４０９が設けられている。
【００１６】
電子ダイアル４１１は、他の操作ボタンと併用してカメラに数値を入力したり、撮影モードを切り換えたりするための多機能信号入力装置である。また、外部表示装置４０９は、液晶表示装置から構成され、シャッタースピード、絞り、撮影モード等の撮影条件や、他の情報を表示する。
【００１７】
また、カメラ本体１００の背面には、撮影された画像や各種設定画面等を表示するＬＣＤモニタ装置４１７が設けられている。また、ＬＣＤモニタ装置４１７に撮影した画像を表示する再生スイッチ６６、単写／連写スイッチ６８、十字配置スイッチ１１６、ＳＥＴボタン１１７、メニューボタン１２４、及び電源スイッチ７２が設けられている。
【００１８】
単写／連写スイッチ６８は、単写モードと連写モードとを設定するために用いられる。単写モードでは、レリーズボタン１１４の押下によりシャッタースイッチＳＷ２（６４）がＯＮになったときに、１コマの撮影を行って待機状態とする。連写モードでは、シャッタースイッチＳＷ２（６４）がＯＮになっている間、連続して撮影を行い続ける。また、上下左右に配された４つのボタンからなる十字配置スイッチ１１６と、その中央に配されたＳＥＴボタン１１７とは、ＬＣＤモニタ装置４１７に表示されるメニュー項目等の選択や実行をカメラに指示するために用いられる。メニューボタン１２４は、ＬＣＤモニタ装置４１７にカメラの各種設定を行うためのメニュー画面を表示させるためのボタンである。例えば、撮影モードを選択、設定するときは、このメニューボタン１２４を押下した後、十字配置スイッチ１１６を操作して希望のモードを選択し、希望のモードが選択された状態でＳＥＴボタン１１７を押下することにより設定が完了する。
【００１９】
図２に示すように、本実施形態に係るカメラは、カメラ本体１００と、交換レンズタイプのレンズユニット３００とにより構成される。なお、４０１は撮影光軸である。
【００２０】
レンズユニット３００において、３１０は複数のレンズからなる撮像レンズ、３１２は絞りである。３０６はレンズユニット３００のレンズマウントであり、レンズユニット３００はレンズマウント３０６を介してカメラ本体１００に着脱可能に機械的に結合し、両者は電気的に接続する。
【００２１】
カメラ本体１００において、１３０は撮影光路中に配置されたミラーであり、レンズユニット３００からの被写体光をファインダ光学系に導く位置（図２に示す位置、斜設位置と呼ぶ）と撮影光路外に退避する位置（退避位置と呼ぶ）との間で移動可能である。なお、ミラー１３０はクイックリターンミラーの構成としても、ハーフミラーの構成としても、どちらでも構わない。
【００２２】
２０３はピント板であり、ミラー１３０から光学ファインダ１０４に導かれる被写体光が結像される。２０５は光学ファインダ１０４の視認性を向上させるためのコンデンサレンズである。１３２はペンタゴナルダハプリズムであり、ピント板２０３及びコンデンサレンズ２０５を通った被写体光をファインダ観察用の接眼レンズ２０８及び光学ファインダ１０４に導く。
【００２３】
１４は固体撮像素子である撮像素子である。２０９、２０７はシャッターを構成する後幕と先幕であり、これら後幕２０９、先幕２０７の開放によって、その後方に配置された撮像素子１４が必要時間だけ露光される。４１８は撮像素子１４の前面に配設された光学ローパスフィルタであり、撮像素子１４に結像する被写体像の空間周波数を調整する。
【００２４】
２１１はプリント基板であり、撮像素子１４を保持する。２１５はプリント基板２１１の後方に配置された、もう一枚のプリント基板である表示基板である。この表示基板２１５の反対側の面に透過型のＬＣＤモニタ装置４１７及びバックライト照明装置４１６が配置されている。これらＬＣＤモニタ装置４１７及びバックライト照明装置４１６は、図３に示す画像表示部２８を構成する。
【００２５】
２００は画像データを記録する記録媒体、８６は電池（携帯用電源）であり、これら記録媒体２００及び電池８６はカメラ本体１００に対して着脱可能である。
【００２６】
図３は、本実施形態に係るカメラの回路構成を示すブロック図である。レンズユニット３００において、３２０はレンズユニット３００をカメラ本体１００と接続するためのインタフェース、３２２はレンズユニット３００をカメラ本体１００と電気的に接続するコネクタである。コネクタ３２２はカメラ本体１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００２７】
３４０は絞り制御部であり、測光制御部４６からの測光情報に基づいて、後述するカメラ本体１００のシャッター１２を制御するシャッター制御部４０と連携しながら、絞り３１２を制御する。３４２はフォーカス制御部であり、撮像レンズ３１０のフォーカシングを制御する。３４４はズーム制御部であり、撮像レンズ３１０のズーミングを制御する。３５０はレンズユニット３００全体を制御するレンズシステム制御回路であり、動作用の定数、変数、プログラム等を記憶するメモリを備える。更に、レンズユニット３００固有の番号等の識別情報、管理情報、開放絞り値や最小絞り値、焦点距離等の機能情報、現在や過去の各設定値等を保持する不揮発メモリも備える。
【００２８】
カメラ本体１００において、１０６はカメラ本体１００とレンズユニット３００を機械的に結合するレンズマウントである。１２はシャッターであり、後幕２０９、先幕２０７により構成される。撮像レンズ３１０に入射した光線は、一眼レフ方式によって光量制限手段である絞り３１２、レンズマウント３０６及び１０６、ミラー１３０、シャッター１２を介して導かれ、光学像として撮像素子１４上に結像する。
【００２９】
１６はＡ／Ｄ変換器であり、撮像素子１４から出力されるアナログ信号をデジタル信号に変換する。１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００３０】
２０は画像処理回路であり、Ａ／Ｄ変換器１６からのデータ或いはメモリ制御回路２２からのデータに対して所定の画素補間処理や色変換処理を行う。また、画像処理回路２０は、必要に応じて、Ａ／Ｄ変換器１６から出力される画像データを用いて所定の演算処理を行う。得られた演算結果に基づいてシステム制御回路５０がシャッター制御部４０、焦点調節部４２を制御するための、ＴＴＬ（スルー・ザ・レンズ）方式のＡＦ処理、ＡＥ処理、フラッシュプリ発光（ＥＦ）処理を行うことができる。更に、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行う。なお、図３に示す例では、焦点調節部４２及び測光制御部４６を専用に備えている。従って、焦点調節部４２及び測光制御部４６を用いてＡＦ処理、ＡＥ処理、ＥＦ処理の各処理を行い、画像処理回路２０を用いたＡＦ処理、ＡＥ処理、ＥＦ処理の各処理を行わない構成としても構わない。また、焦点調節部４２及び測光制御部４６を用いてＡＦ処理、ＡＥ処理、ＥＦ処理の各処理を行い、更に、画像処理回路２０を用いたＡＦ処理、ＡＥ処理、ＥＦ処理の各処理を行う構成としても構わない。
【００３１】
２１は暗号化回路であり、システム制御回路５０を介して画像データに対して暗号化処理を行う。２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。２４は画像表示メモリである。２６はＤ／Ａ変換器である。２８はＬＣＤモニタ装置４１７、バックライト照明装置４１６等からなる画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダ（ＥＶＦ）機能を実現することができる。また、画像表示部２８は、システム制御回路５０の指示により任意に表示をＯＮ／ＯＦＦすることが可能であり、表示をＯＦＦにした場合にはカメラ本体１００の電力消費を大幅に低減することができる。
【００３２】
３０は撮影した静止画像を格納するためのメモリであり、所定枚数の静止画像を格納するのに十分な記憶容量を備える。これにより、複数枚の静止画像を連続して撮影する連写撮影やパノラマ撮影の場合にも、高速かつ大量の画像書き込みをメモリ３０に対して行うことが可能となる。３１は内部メモリである。３２は公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。
【００３３】
４０はシャッター制御部であり、測光制御部４６からの測光情報に基づいて、絞り３１２を制御する絞り制御部３４０と連携しながらシャッター１２を制御する。４２はＡＦ処理を行うための焦点調節部である。レンズユニット３００内の撮像レンズ３１０に入射した光線を絞り３１２、レンズマウント３０６、１０６、ミラー１３０及び焦点調節用サブミラー（不図示）を介して一眼レフ方式で入射することにより、光学像として結像された画像の合焦状態を測定する。４６はＡＥ処理を行うための測光制御部である。レンズユニット３００内の撮像レンズ３１０に入射した光線を、絞り３１２、レンズマウント３０６、１０６、ミラー１３０及び測光用サブミラー（図示せず）を介して一眼レフ方式で入射することにより、光学像として結像された画像の露出状態を測定する。４８はフラッシュであり、ＡＦ補助光の投光機能、フラッシュ調光機能も有する。測光制御部４６はフラッシュ４８と連携することにより、ＥＦ処理機能も有する。また、焦点調節部４２による測定結果と、Ａ／Ｄ変換器１６からの画像データを画像処理回路２０によって演算した演算結果とを用いて、ＡＦ制御を行うようにしても構わない。更に、測光制御部４６による測定結果と、Ａ／Ｄ変換器１６からの画像データを画像処理回路２０によって演算した演算結果とを用いて露出制御を行うようにしても構わない。
【００３４】
５０はカメラ本体１００全体を制御するシステム制御回路であり、周知のＣＰＵ等を内蔵する。５２はシステム制御回路５０の動作用の定数、変数、プログラム等を記憶するメモリである。５４はシステム制御回路５０でのプログラムの実行に応じて、文字、画像、音声等を用いて動作状態やメッセージ等を外部に通知するための通知部である。通知部５４としては、例えばＬＣＤやＬＥＤ等による視覚的な表示を行う表示部や音声による通知を行う発音素子等が用いられるが、これらのうち１つ以上の組み合わせにより構成される。特に、表示部の場合には、例えば外部表示装置４０９のようにカメラ本体１００の操作部７０近辺で、視認しやすい、単数あるいは複数箇所に設置されている。また、通知部５４は、その一部の機能が光学ファインダ１０４内に設置されている。
【００３５】
通知部５４の表示内容のうち、ＬＣＤ等の画像表示部２８に表示するものとしては以下のものがある。まず、単写／連写撮影表示、セルフタイマ表示等、撮影モードに関する表示がある。また、圧縮率表示、記録画素数表示、記録枚数表示、残撮影可能枚数表示等の記録に関する表示がある。また、シャッター速度表示、絞り値表示、露出補正表示、調光補正表示、外部フラッシュ発光量表示、赤目緩和表示等の撮影条件に関する表示がある。その他に、マクロ撮影表示、ブザー設定表示、電池残量表示、エラー表示、複数桁の数字による情報表示、記録媒体２００及びパーソナルコンピュータ（ＰＣ）２１０の着脱状態表示がある。更に、レンズユニット３００の着脱状態表示、通信Ｉ／Ｆ動作表示、日付・時刻表示、外部コンピュータとの接続状態を示す表示がある。また、通知部５４の表示内容のうち、光学ファインダ１０４内に表示するものとしては、例えば、以下のものがある。合焦表示、撮影準備完了表示、手振れ警告表示、フラッシュ充電表示、フラッシュ充電完了表示、シャッター速度表示、絞り値表示、露出補正表示、記録媒体書き込み動作表示等である。
【００３６】
５６は後述するプログラム等が格納された電気的に消去・記録可能な不揮発性メモリであり、例えばＥＥＰＲＯＭ等が用いられる。
【００３７】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３８】
ここで、これらの操作手段の具体的な説明を行う。６０はモードダイアルスイッチであり、自動撮影モード、プログラム撮影モード、シャッター速度優先撮影モード、絞り優先撮影モード、マニュアル撮影モード、焦点深度優先（デプス）撮影モード等の各機能撮影モードを切り替え設定することができる。他に、ポートレート撮影モード、風景撮影モード、接写撮影モード、スポーツ撮影モード、夜景撮影モード、パノラマ撮影モード、動画撮影モード等の各機能撮影モードを切り替え設定することもできる。
【００３９】
６２はシャッタースイッチＳＷ１であり、レリーズボタン１１４の操作途中（例えば半押し）でＯＮとなり、ＡＦ処理、ＡＥ処理、ＡＷＢ処理、ＥＦ処理等の動作開始を指示する。６４はシャッタースイッチＳＷ２であり、レリーズボタン１１４の操作完了（例えば全押し）でＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介して画像データをメモリ３０に書き込む。現像処理では、画像処理回路２０やメモリ制御回路２２での演算を用いた現像処理を行う。記録処理では、メモリ３０から画像データを読み出し、圧縮・伸長回路３２で圧縮を行い、内部記録媒体である内部メモリ３１に書き込む、或いは、外部記録媒体である記録媒体２００或いはＰＣ２１０に画像データを書き込む或いは送信する。
【００４０】
６６は再生スイッチであり、撮影モード状態で撮影した画像をメモリ３０或いは記録媒体２００、ＰＣ２１０から読み出して画像表示部２８に表示する再生動作の開始を指示する。６８は単写／連写スイッチであり、上述したように単写モードと連写モードとを設定することができる。
【００４１】
７０は各種ボタンやタッチパネル等からなる操作部である。一例として、ライブビュー開始／停止ボタン、動画記録開始／停止ボタン、メニューボタン１２４、ＳＥＴボタン１１７、マルチ画面再生改ページボタン、フラッシュ設定ボタン、単写／連写／セルフタイマ切り換えボタン、十字配置スイッチ１１６、ＡＥロックボタン１１２、ＡＦの測距点選択ボタン１１３、電子ダイアル４１１を含む。更に、再生画像移動＋（プラス）ボタン、再生画像移動−（マイナス）ボタン、撮影画質選択ボタン、露出補正ボタン、調光補正ボタン、外部フラッシュ発光量設定ボタン、日付／時間設定ボタン等も含む。なお、十字配置スイッチ１１６の上下左右のボタンの各機能は、回転ダイアルスイッチを備えることによって、より軽快に数値や機能を選択することが可能となる。他に、再生モード、マルチ画面再生・消去モード、ＰＣ接続モード等の各機能モードを設定することができる再生スイッチがある。また、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチがある。また、ＪＰＥＧ圧縮の圧縮率を選択するため、或いは撮像素子の信号をそのままデジタル化して記録媒体に記録するＲＡＷモードを選択するためのスイッチである圧縮モードスイッチがある。また、ワンショットＡＦモードとサーボＡＦモードとを設定可能なＡＦモード設定スイッチ等がある。ワンショットＡＦモードでは、シャッタースイッチＳＷ１（６２）がＯＮになった際にオートフォーカス動作を開始し、一旦合焦した場合、その合焦状態を保ち続ける。サーボＡＦモードでは、シャッタースイッチＳＷ１（６２）がＯＮになっている間、連続してオートフォーカス動作を続ける。
【００４２】
７２は電源スイッチであり、カメラ本体１００の電源ＯＮ、電源ＯＦＦの各モードを切り替え設定することができる。また、カメラ本体１００に接続されたレンズユニット３００、外部フラッシュ１１５、記録媒体２００、ＰＣ２１０等の各種付属装置の電源ＯＮ、電源ＯＦＦの設定も合わせて切り替え設定可能である。
【００４３】
８０は電源制御部であり、電池検出回路、ＤＣ‐ＤＣコンバータ、通電するブロックを切り替えるスイッチ回路等により構成される。電源制御部８０は、電池の装着の有無、電池の種類、電池残量の検出を行い、検出結果及びシステム制御回路５０の指示に基づいてＤＣ‐ＤＣコンバータを制御し、必要な電圧を必要な期間、記録媒体を含む各部へ供給する。８２、８４はコネクタ、８６はアルカリ電池やリチウム電池等の一次電池やＮｉＣｄ電池やＮｉＭＨ電池、Ｌｉ‐ｉｏｎ電池、Ｌｉポリマー電池等の二次電池である。なお、ＡＣアダプター等からなる電源を使用するようにしても構わない。
【００４４】
９０及び９４は記録媒体２００及びＰＣ２１０とのインタフェース、９５は外部表示装置であるＴＶ等の外部モニタ２２０とのインタフェースである。９２及び９６は記録媒体２００及びＰＣ２１０と接続を行うコネクタ、９７は外部モニタ２２０との接続を行うコネクタである。９８はコネクタ９２、９６に記録媒体２００やＰＣ２１０が装着されているか、コネクタ９７に外部モニタ２２０が接続しているか否かを検知するコネクタ着脱検知回路である。
【００４５】
なお、本実施形態では記録媒体２００、ＰＣ２１０とのインタフェース及びコネクタを２系統持つものとして説明しているが、単数或いは複数、いずれの系統数を備える構成としても構わない。また、異なる規格のインタフェース及びコネクタを組み合わせて備える構成としても構わない。インタフェース及びコネクタとしては、種々の記憶媒体の規格に準拠したものを用いて構成することが可能である。例えば、ＰＣＭＣＩＡ（Personal Computer Memory Card International Association）カードやＣＦ（コンパクトフラッシュ（登録商標））カード、ＳＤカード等である。インタフェース９０、そしてコネクタ９２をＰＣＭＣＩＡカードやＣＦ（コンパクトフラッシュ（登録商標））カード等の規格に準拠したものを用いて構成した場合、各種通信カードを接続することができる。通信カードとしては、ＬＡＮカードやモデムカード、ＵＳＢ（Universal Serial Bus）カード、ＩＥＥＥ（Institute of Electrical and Electronic Engineers）１３９４カードがある。他にも、Ｐ１２８４カード、ＳＣＳＩ（Small Computer System Interface）カード、ＰＨＳ等がある。これら各種通信カードを接続することにより、他のコンピュータやプリンタ等の周辺機器との間で画像データや画像データに付属した管理情報を転送し合うことができる。
【００４６】
また、外部モニタ２２０とのインタフェース９５及びコネクタ９７としては、アナログ信号及びデジタル信号の伝送が可能な構成にすることができる。例えば、ビデオ出力端子やＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）接続端子等である。
【００４７】
１１５は外部フラッシュ装置であり、アクセサリシュー１１０を介して装着される。１２０はレンズマウント１０６内でカメラ本体１００をレンズユニット３００と接続するためのインタフェースである。１２２はカメラ本体１００をレンズユニット３００と電気的に接続するコネクタである。また、レンズマウント１０６及び／又はコネクタ１２２にレンズユニット３００が装着されているか否かは、不図示のレンズ着脱検知部により検知される。コネクタ１２２はカメラ本体１００とレンズユニット３００との間で制御信号、状態信号、データ信号等を伝え合うと共に、各種電圧の電流を供給する機能も備える。コネクタ１２２を介して通信される、各種光学情報（絞り、ズーム位置、瞳距離、焦点距離等）は、カメラ本体１００のメモリ３０に記憶される。通信の要求はカメラ側から行う場合もあれば、レンズ側から情報更新のたびに通信される場合もある。また、コネクタ１２２は電気通信だけでなく、光通信、音声通信等を伝達する構成としても良い。
【００４８】
２００はメモリカードやハードディスク等の記録媒体であり、半導体メモリや磁気ディスク等から構成される記録部２０２、カメラ本体１００とのインタフェース２０４、カメラ本体１００と接続を行うコネクタ２０６を備える。記録媒体２００としては、ＰＣＭＣＩＡカードやＣＦ（コンパクトフラッシュ（登録商標））カード等のメモリカード、ハードディスク等を用いることができる。また、マイクロＤＡＴ、光磁気ディスク、ＣＤ‐ＲやＣＤ‐ＷＲ等の光ディスク、ＤＶＤ等の相変化型光ディスク等で構成されていても勿論構わない。
【００４９】
２１０はカメラに接続されたＰＣであり、半導体メモリや磁気ディスク等から構成される記録部２１２、カメラ本体１００とのインタフェース２１４、カメラ本体１００と接続を行うコネクタ２１６を備える。
【００５０】
２２０はカメラに接続された外部モニタあり、表示部２２２、カメラ本体１００とのインタフェース２１４、カメラ本体１００と接続を行うコネクタ２１６を備える。
【００５１】
次に、図４のフローチャートを参照して、本実施形態に係るカメラの撮影時の画像記録処理の流れを説明する。当該処理は、システム制御回路５０が不揮発性メモリ５６に記憶された画像記録処理プログラムを実行することにより実施される。なお、撮影感度は、電子ダイアル４１１を含む多数のスイッチ類の信号を操作部７０からシステム制御回路５０に通知され、設定される。この場合、操作部７０が撮影感度設定手段として作用する。
【００５２】
まず、ステップＳ４０１で、レリーズボタン１１４が全押しされることでシャッタースイッチＳＷ２（６４）よりシステム制御回路５０に撮影動作開始が通知される。これにより、システム制御回路５０の制御下で、予め設定されている撮影モード、絞り、シャッター速度、感度等の撮影条件に応じて、上述した露光処理が行われる。更に、ステップＳ４０２では、画像処理回路２０やメモリ制御回路２２での演算を用いた現像処理が行われる。この場合、システム制御回路５０が撮影手段として作用する。
【００５３】
次に、ステップＳ４０３で、システム制御回路５０は、ステップＳ４０１において行われた撮影での感度設定が高感度であったか否かを判定する。なお、感度設定が、被写体が暗い場合にシャッタースピードが遅くなることによる手ブレを抑えるためにカメラが自動的に感度を調整するモード（オートＩＳＯ）に設定されている場合にも、撮影開始時に調整された感度値を用いて高感度であったか否かを判定する。なお、ここでは、高感度である条件を、例えばＩＳＯ感度１００００以上とするが、これに限定されるものではない。
【００５４】
ステップＳ４０３において高感度撮影であった場合、ステップＳ４０４に進む。ステップＳ４０４では、システム制御回路５０の制御下で、メモリ３０から画像データを読み出し、圧縮・伸長回路３２で圧縮処理を行い、内部メモリ３１に記録する。内部メモリ３１への記録は、デジタルカメラにおいて汎用的に使用されているＤＣＦ（Design Rule For Camera File System）ファイルの形式で行われる。この際、ステップＳ４０５以降で作成するファイルと同一のＤＣＦオブジェクトとする必要がある。なお、ＤＣＦオブジェクトとは、関連のあるファイル群をまとめて取り扱うことができるよう、同一ファイル番号を持つファイル群として規定され、ファイル番号が同一であれば、拡張子は異なっても良いとされている。これにより、ステップＳ４０４において作成された高感度撮影画像とステップＳ４０５以降で作成される画像が、同一撮影動作により作成された画像であることが保証される。従って、高感度撮影画像は、拡張子の異なる同一のファイル番号（例えば、ＡＢＣＤ０００１．ＨＪＰ）として内部メモリ３１に記録する。この場合、システム制御回路５０が高感度撮影画像記録手段として作用し、圧縮・伸長回路３２の圧縮処理や内部メモリ３１への記録を制御する。
【００５５】
次に、ステップＳ４０５で、システム制御回路５０の制御下で、再度メモリ３０から画像データを読み出し、メモリ制御回路２２を介して画像処理回路２０にて、デジタル的に乗算を行ってゲインをかける、いわゆるデジタルゲイン補正（ゲインダウン補正）を行う。これにより、画像全体を暗くし、あたかも低感度設定で露出アンダーに撮影したかのような低感度撮影画像を作成する。次に、ステップＳ４０６で、圧縮・伸長回路３２で圧縮処理を行い、ステップＳ４０４においてつけたファイル名と同一のファイル名（例えば、ＡＢＣＤ０００１．ＪＰＧ）で、記録媒体２００或いはＰＣ２１０に画像データを書き込む或いは送信する。この場合、画像処理回路２０が低感度撮影画像作成手段として作用し、システム制御回路５０が低感度撮影画像記録手段として作用し、圧縮・伸長回路３２の圧縮処理や、記録媒体２００或いはＰＣ２１０に画像データへの記録又は送信を制御する。
【００５６】
なお、本実施形態では、ゲインダウン補正により画像全体的に暗い、露出アンダーの画像を作成したが、高感度撮影時に、手軽に画像を持ち出せる記録媒体２００等には、人間が被写体を視認できない又は視認しにくい画像が記録されていれば良いので、例えば画像全体にモザイク処理を施す等しても良い。
【００５７】
また、ＪＰＧフォーマットのＪＰＧ画像データに添付されるＥｘｉｆ規格に基づくＥｘｉｆ情報には、露出時間、シャッタースピード、感度、フラッシュ発光等の撮影時の諸条件が記述されているのが一般的である。そのため、高感度撮影画像の場合、このＥｘｉｆ情報には撮影時の感度を記載するのはもちろん、別途作成した低感度撮影画像にも撮影時の感度を記載する。
【００５８】
一方、ステップＳ４０３において高感度撮影でなかった場合、ステップＳ４０７に進無。ステップＳ４０７では、システム制御回路５０の制御下で、メモリ３０から画像データを読み出し、圧縮・伸長回路３２で圧縮処理を行い、記録媒体２００或いはＰＣ２１０に画像データを書き込む或いは送信する。
【００５９】
以上の説明では、通常感度撮影時の画像の記録先を記録媒体２００或いはＰＣ２１０とし、高感度撮影時のみ内部メモリ３１に記録するものとして説明しているが、例えばメニュー画面等から通常感度撮影時画像の記録先を内部メモリ３１と変更することができるカメラに適用できることは言うまでもない。
【００６０】
次に、図５のフローチャートを参照して、本実施形態に係るカメラのクイックレビュー処理の流れを説明する。当該処理は、システム制御回路５０が不揮発性メモリ５６に記憶されたクイックレビュー処理プログラムを実行することにより実施される。まず、ステップＳ５０１で、システム制御回路５０は、クイックレビュー機能がＯＮであるか否かを判定し（ステップＳ５０１）、ＯＮであればステップＳ５０２に進み、ステップＳ５０２では、撮影時の感度設定が高感度であるか否かを判定する。ステップＳ５０２において高感度撮影である場合、ステップＳ５０３に進む。ステップＳ５０３では、システム制御回路５０の制御下で、内部メモリ３１に記録した高感度撮影画像（ＡＢＣＤ０００１．ＨＪＰ）を画像表示部２８に表示する。一方、ステップＳ５０２において高感度撮影でない場合、ステップＳ５０４に進む。ステップＳ５０４では、システム制御回路５０の制御下で、記録媒体２００或いはＰＣ２１０に記録した画像を画像表示部２８に表示する。
【００６１】
次に、図６のフローチャートを参照して、本実施形態に係るカメラの画像再生処理の流れを説明する。当該処理は、システム制御回路５０が不揮発性メモリ５６に記憶された画像再生プログラムを実行することにより実施される。ユーザが再生スイッチ６６を押下することで、記録媒体２００（或いはＰＣ２１０）から撮影画像を読み出して画像表示部２８に表示する再生動作の開始が指示される。ステップＳ６０１において十字配置スイッチ１１６を用いて再生画像が選択されると、ステップＳ６０２で、システム制御回路５０は、記録媒体２００（或いはＰＣ２１０）に記録されている選択画像と同一のＤＣＦオブジェクト（高感度撮影画像）が内部メモリ３１に存在するかを検索する。内部メモリ３１に選択画像と同一ＤＣＦオブジェクトのファイルが存在する場合、ステップＳ６０３に進む。ステップＳ６０３では、外部モニタ２２０がカメラ本体１００に接続しているか否かを判定する。この判定は、システム制御回路５０がコネクタ着脱検知回路９８を用いて行う。
【００６２】
ステップＳ６０３において外部モニタ２２０がカメラ本体１００に接続されていない場合、ステップＳ６０４に進む。ステップＳ６０４では、システム制御回路５０の制御下で、内部メモリ３１から該当するＤＣＦオブジェクトを画像表示メモリ２４に書きこみ、画像表示部２８に表示する。
【００６３】
一方、ステップＳ６０２において内部メモリ３１に選択画像と同一ＤＣＦオブジェクトのファイルが存在しない場合、及び、ステップＳ０３において外部モニタ２２０がカメラ本体１００に接続されている場合、ステップＳ６０５に進む。ステップＳ６０５では、システム制御回路５０の制御下で、記録媒体２００（或いはＰＣ２１０）から選択画像を画像表示メモリ２４に書き込み、画像表示部２８に表示する。すなわち、記録媒体２００（或いはＰＣ２１０）から選択された画像が、高感度撮影画像から作成された低感度撮影画像である場合、高感度撮影画像の外部モニタ２２０に出力することを禁止する。この場合、システム制御回路５０が出力禁止手段として作用する。
【００６４】
次に、図７のフローチャートを参照して、本実施形態に係るカメラにおいて内部メモリ３１に記録された高感度撮影画像を記録媒体２００やＰＣ２１０にコピー又は移動させる処理の流れを説明する。当該処理は、システム制御回路５０が不揮発性メモリ５６に記憶されたコピー・移動プログラムを実行することにより実施される。なお、コピー・移動処理は、メニュー項目から選択されて実施しても良いし、撮影時に逐次実施しても良い。
【００６５】
まず、システム制御回路５０は、コピー又は移動元が内部メモリ３１であるか否かを判定する（ステップＳ７０１）。ステップＳ７０１においてコピー又は移動元が内部メモリ３１である場合、ステップＳ７０２に進む。ステップＳ７０２では、システム制御回路５０は、カメラ本体１００のＬＣＤモニタ装置４１７及び操作部７０、もしくはＰＣ２１０よりユーザ認証処理を行う。ユーザ認証処理としては、ここでは事前にＰＣ２１０よりアプリケーションを用いてカメラ本体１００にＩＤとパスワードを登録しておくものとするが、これに限らず公知の技術を用いて行っても良い。この場合、システム制御回路５０が認証手段として作用する。
【００６６】
ステップＳ７０３で、システム制御回路５０は認証許可であるか否かを判定し、認証不許可である場合、内部メモリ３１の画像のコピー及び移動を禁止し、処理を終了する。この場合、システム制御回路５０が移動禁止手段として作用する。
【００６７】
一方、ステップＳ７０３において認証許可である場合、ステップＳ７０４に進む。ステップＳ７０４では、システム制御回路５０は、カメラ本体１００の内部メモリ３１に記録された画像の中からユーザにコピー又は移動したい画像を選択させる。ユーザは、カメラ本体１００の十字配置スイッチ１１６やＰＣ２１０を用いて画像を選択する。この場合、システム制御回路５０が移動許可手段として作用する。
【００６８】
次に、ステップＳ７０５で、システム制御回路５０は、選択画像のＥｘｉｆ情報から撮影時に設定された感度を判定する。ステップＳ７０５において高感度撮影画像である場合、ステップＳ７０６に進む。ステップＳ７０６では、システム制御回路５０は、高感度撮影画像に対して暗号化回路２１を用いて暗号化処理を行う。この場合、システム制御回路５０及び暗号化回路２１が認証手段として作用する。ここで使われる暗号化技術は、公開鍵暗号方式等の公知の技術を用いれば良い。また、暗号化処理に加えて、電子透かし技術やＥｘｉｆ情報の撮影者情報の欄等を用いて、撮影者の情報を記述しても良い。次に、ステップＳ７０７で、選択画像の記録媒体２００或いはＰＣ２１０へのコピー又は移動を実行する。一方、ステップＳ７０５において高感度撮影画像でない場合、直接ステップＳ７０７に進み、選択画像の記録媒体２００或いはＰＣ２１０へのコピー又は移動を実行する。
【００６９】
なお、ステップＳ７０１においてコピー又は移動元が内部メモリ３１でない場合、ステップＳ７０８に進む。ステップＳ７０８では、システム制御回路５０は、カメラ本体１００の記録媒体２００或いはＰＣ２１０に記録された画像の中からユーザにコピー又は移動したい画像を選択させる。ユーザは、カメラ本体１００の十字配置スイッチ１１６やＰＣ２１０を用いて画像を選択する。次に、ステップＳ７０９で、選択画像の記録媒体２００或いはＰＣ２１０へのコピー又は移動を実行する。
【００７０】
なお、図７のフローチャートにおいては、画像を一つずつ選択する場合について説明したが、記録されている画像を一括でコピー又は移動する場合には、コピー又は移動元が内部メモリ３１であればステップＳ７０５〜Ｓ７０７を、コピー又は移動元が記録媒体２００やＰＣ２１０であればステップＳ７０９を画像枚数分繰り返すことで実現することができる。
【００７１】
以上述べたように、高感度撮影を行う場合に、カメラ内部の大容量メモリ（内部メモリ３１）に高感度撮影画像を記録し、記録媒体２００やＰＣ２１０には高感度撮影画像から作成された低感度撮影画像を記録する。これにより、ＣＦカードやＳＤカードのような記録媒体には被写体が視認できない又は視認しにくく加工された低感度撮影画像が記録されているので、例え記録媒体内の画像が第三者が閲覧可能な環境に置かれたとしても、被写体のプライバシーを保護することが可能である。また、高感度撮影画像は内部メモリ３１に記録し、外部表示装置２２０への出力を禁止することで、インターネット等の第三者が閲覧可能な環境へ流出することを防止することができる。更に、コピーや移動する場合にはユーザ認証処理を行うようにすることで、例えば盗難されたカメラで高感度撮影が利用されたとしても、第三者が閲覧可能な環境へ流出することを防止することができる。更に、コピーや移動する場合に高感度撮影画像を暗号化することで、万が一第三者が閲覧可能な環境へ流出したとしても、復号化できなければＰＣ等で画像を閲覧することはできないので、第三者の閲覧を制限することができる。
【００７２】
上記実施形態では、高感度撮影画像と低感度撮影画像が同一撮影動作で生成された画像であると識別するために、ＤＣＦオブジェクトを用いる例を説明したが、同一撮影動作であると判別できればこの方法に限らない。例えば、Ｅｘｉｆ情報にはメーカ独自の情報も含めることが可能であることから、Ｅｘｉｆ情報内に高感度撮影画像と低感度撮影画像の互いのファイル名を記載する等して、同一撮影動作で生成された画像であると識別しても良い。
【００７３】
（第２の実施形態）
第１の実施形態では、内部メモリ３１から高感度撮影画像をコピー又は移動する際に、ユーザ認証後に高感度撮影画像を暗号化して、記録媒体２００やＰＣ２１０へ書き込む或いは送信していた。第２の実施形態では、撮影時に暗号化して、高感度撮影画像を記録する手法について説明する。なお、カメラの基本的な構成や処理動作は第１の実施形態と同様であり、以下では、第１の実施形態との相違点を中心に説明する。
【００７４】
図８のフローチャートを参照して、本実施形態に係るカメラの撮影時の画像記録処理の流れを説明する。当該処理は、システム制御回路５０が不揮発性メモリ５６に記憶された画像記録処理プログラムを実行することにより実施される。ここでは、第１の実施形態で説明した図４との相違についてのみ説明する。
【００７５】
まず、ステップＳ４０１〜Ｓ４０３では、システム制御回路５０の制御下で、撮影処理を行い、撮影画像の現像処理をし、撮影時の感度設定が高感度であるか否かを判定する。そして、ステップＳ４０３において高感度撮影であった場合、暗号化処理を施した上で（ステップＳ８０１）、ステップＳ４０４に進み、高感度撮影画像を記録する。ここでの高感度撮影画像の記録先としては、既に暗号化されているので、記録媒体２００或いはＰＣ２１０としても良い。なお、ステップＳ８０１での暗号化処理は、ステップＳＳ７０６での暗号化処理と同様、高感度撮影画像に対して暗号化回路２１を用いて暗号化処理を行う。ここで使われる暗号化技術は、公開鍵暗号方式等の公知の技術を用いれば良い。また、暗号化処理に加えて、電子透かし技術やＥｘｉｆ情報の撮影者情報の欄等を用いて、撮影者の情報を記述しても良い。その後、ステップＳ４０５〜Ｓ４０６で、高感度撮影画像から低感度撮影画像を作成し、記録媒体２００或いはＰＣ２１０に書き込む或いは送信する。
【００７６】
また、ステップＳ４０３において高感度撮影でなかった場合、ステップＳ４０７に進む。ステップＳ４０７では、システム制御回路５０の制御下で、メモリ３０から画像データを読み出し、圧縮・伸長回路３２で圧縮処理を行い、記録媒体２００或いはＰＣ２１０に画像データを書き込む或いは送信する。
【００７７】
次に、図９のフローチャートを参照して、本実施形態に係るカメラの画像再生処理の流れを説明する。当該処理は、システム制御回路５０が不揮発性メモリ５６に記憶された画像再生プログラムを実行することにより実施される。ここでは、第１の実施形態で説明した図６との相違についてのみ説明する。
【００７８】
本実施形態では、図８の画像記録処理により、暗号化した高感度撮影画像が記録媒体２００或いはＰＣ２１０に記録されるものとする。ステップＳ６０１において再生画像が選択されると、ステップＳ９０１で、システム制御回路５０は、記録媒体２００（或いはＰＣ２１０）に記録されている選択画像が高感度撮影画像であるか否かを判定する。これは、Ｅｘｉｆ情報から撮影時に設定された感度を参照する。選択画像が高感度撮影画像である場合、ステップＳ６０３に進む。ステップＳ６０３では、システム制御回路５０は、外部モニタ２２０がカメラ本体１００に接続しているか否かを判定する。
【００７９】
ステップＳ６０３において外部モニタ２２０がカメラ本体１００に接続されていない場合、ステップＳ６０４に進む。ステップＳ６０４では、システム制御回路５０の制御下で、高感度撮影画像を復号化した上で画像表示部２８に表示する。
【００８０】
一方、ステップＳ９０１において選択画像が高感度撮影画像でない場合、及び、ステップＳ６０３において外部モニタ２２０がカメラ本体１００に接続されている場合、ステップＳ９０２に進む。ステップＳ９０２では、システム制御回路５０の制御下で、選択画像を画像表示部２８に表示する。
【００８１】
クイックレビュー処理については、第１の実施形態と同様である。また、コピー・移動処理では、コピー又は移動元が内部メモリ３１ではないので、ステップＳ７０１からステップＳ７０８、Ｓ７０９に進むことになる。
【００８２】
以上述べたように、画像記録時に高感度撮影画像に暗号化を施すようにしたので、カメラ外部の記録媒体２００やＰＣ２１０に記録し、画像が流出したとしても、暗号化されているので画像を閲覧することは不可能であり、第三者による閲覧を制限することが可能である。
【００８３】
（他の実施形態）
本発明は上述した実施形態の機能を実現するソフトウエアのプログラムを、各装置に直接、或いは遠隔から供給できるようにしても良い。また、その装置の処理部が該供給されたプログラムコードを読み出して実行することによって、上記の実施形態を実行可能とする場合を含む。従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であっても良い。
【符号の説明】
【００８４】
２０：画像処理回路、２１：暗号化回路、３１：内部メモリ、５０：システム制御回路、７０：操作部、１００：カメラ本体、２００：記録媒体、２１０：ＰＣ、２２０：外部モニタ
【図１】
0005555103.tif 000002
【図２】
0005555103.tif 000003
【図３】
0005555103.tif 000004
【図４】
0005555103.tif 000005
【図５】
0005555103.tif 000006
【図６】
0005555103.tif 000007
【図７】
0005555103.tif 000008
【図８】
0005555103.tif 000009
【図９】
0005555103.tif 000010